(57)【要約】【課題】  台を収納できることから、トイレ室内の広さを必要とせず、新設のトイレはもちろん既存のトイレに後から設置することができ、さまざまなタイプの間取りに対応でき、車椅子での出入りも困難を生ずることもなく、また、便座に着座時に支障とならないで、着座後は新聞や本を読む際のテーブルと小物を置く台として、要介護者のみでなく健常者にも使えるトイレ用台装置を提供する。【解決手段】  トイレ空間内に設置される可動する台４であって、使用時は便座１ａの前方上側に取付けられ、収納時は、便座１ａ周囲の壁、天井側に収納される。狭いトイレ空間に使用することができ、台４はテーブルとして使用でき、物置台、メモを書くための台、など多用途に使用でき、収納できることで、出入りの邪魔にならず、車椅子での出入りも容易にすることができる。【選択図】  図１
2005052323.tif 000002
【特許請求の範囲】
【請求項１】
トイレに設置されるトイレ用台装置において、便器前方の使用位置と収納位置とに可動な台と、この台をトイレに取付ける固定部とを備えることを特徴とするトイレ用台装置。
【請求項２】
前記便器は便座を備え、前記台は前記便座の前方上側の使用位置に可動なことを特徴とする請求項１記載のトイレ用台装置。
【請求項３】
前記使用位置は、使用者が便座上方で座した状態で手の届く範囲であることを特徴とする請求項１又は２記載のトイレ用台装置。
【請求項４】
前記台を前記固定部に回動自在に設けたことを特徴とする請求項１〜３のいずれか１項に記載のトイレ用台装置。
【請求項５】
前記台は板状体を備えることを特徴とする請求項１〜４のいずれか１項に記載のトイレ用台装置。
【請求項６】
前記固定部は、便器周囲の壁、天井、床面又は便器に設けられていることを特徴とする請求項１〜５のいずれか１項に記載のトイレ用台装置。
【請求項７】
前記固定部が手摺であることを特徴とする請求項１〜６のいずれか１項に記載のトイレ用台装置。
【請求項８】
前記台が固定部に沿ってスライド可能に設けられていることを特徴とする請求項１〜７のいずれか１項に記載のトイレ用台装置。
【請求項９】
前記台が前記使用位置にあって前記固定部に片側支持で固定されることを特徴とする請求項１〜８のいずれか１項に記載のトイレ用台装置。
【請求項１０】
前記台が前記使用位置にあって片側又は両側が支え部で支持されることを特徴とする請求項１〜８のいずれか１項に記載のトイレ用台装置。
【請求項１１】
前記台は、介護用トイレのつかまり台であることを特徴とする請求項１〜１０のいずれか１項に記載のトイレ用台装置。
【請求項１２】
請求項１〜１１のいずれか１項に記載のトイレ用台装置と便器とを備えることを特徴とするトイレシステム。
【発明の詳細な説明】
【技術分野】
【０００１】
本発明は、トイレ内に設置される介護などにも使用できるトイレ用台装置とトイレシステムに関する。
【背景技術】
【０００２】
従来、介護用のトイレでは、用便の際の着座時や立ち上がり時に、便座の左または右の壁にそって水平または垂直に取り付けられた手摺が用いられていた（例えば特許文献１）。
【０００３】
また、台としては、トイレ内においては便座の左または右の壁に沿って固定取付けられた棚や、上方部に取り付けられた天井棚が用いられていた（例えば特許文献２）。
【特許文献１】特開２０００−１９７５９０
【特許文献２】特開２００１−２１２０３３
【発明の開示】
【発明が解決しようとする課題】
【０００４】
従来の壁に沿って取付けられた手摺では、起立の際に、手摺側に全体重がかかるので、体自体が壁側に傾き、介護を必要とする人には自分の腕の力だけでは体を支えるには問題があり、不安定な体勢が生じた。
【０００５】
また、介護する側においても、用便の際のズボンの上げ下げや、おしりを拭く際に体が壁に寄りかかり、不安定な状態となり、介護を必要とする人の体を支えながらの介護では、支えきれないという問題が生じた。
【０００６】
台については、便座に座る際に支障にならないよう、従来のトイレ内のカウンターでは壁に沿って設置されている場合が多くあり、メモを書く際には体をよじらねばならなかった。
【０００７】
そして、従来の棚は、トイレにおいて便座に座した状態で新聞や本を読む場合の台とはならず、使い勝手がよくなかった。さらに、台が側面や天井に設けられているため、便座に座した状態で、眼鏡や鏡などの小物を置くには不便であった。
【０００８】
本発明は上記従来の問題に鑑みて、トイレ室内の広さを必要とせず、既存のトイレに後から設置することができ、さまざまなタイプの間取りに対応でき、車椅子での出入りも困難を生ずることもなく、介護時においては要介護者の体が一方の壁に傾くことのない介護しやすい、トイレ内に設置する介護としても使えるトイレ用台装置を提供することを目的とする。
【０００９】
また、便座に着座時に支障とならないので、着座後は、新聞や本を読む際のテーブルと小物を置く台として要介護者のみでなく健常者にも使えるトイレ用台装置を提供することを目的とする。
【課題を解決するための手段】
【００１０】
請求項１の発明は、トイレに設置されるトイレ用台装置において、便器前方の使用位置と収納位置とに可動な台と、この台をトイレに取付ける固定部とを備えるものである。
【００１１】
請求項２の発明は、前記便器は便座を備え、前記台は前記便座の前方上側の使用位置に可動なものである。
【００１２】
請求項３の発明は、前記使用位置は、使用者が便座上方で座した状態で手の届く範囲である。
【００１３】
請求項４の発明は、前記台を前記固定部に回動自在に設けたものである。
【００１４】
請求項５の発明は、前記台は板状体を備えるものである。
【００１５】
請求項６の発明は、固定部は、便器周囲の壁、天井、床面又は便器に設けられているものである。
【００１６】
請求項７の発明は、前記固定部が手摺である。
【００１７】
請求項８の発明は、前記台が固定部に沿ってスライド可能に設けられているものである。
【００１８】
請求項９の発明は、前記台が前記使用位置にあって前記固定部に片側支持で固定されるものである。
【００１９】
請求項１０の発明は、前記台が前記使用位置にあって片側又は両側が支え部で支持されるものである。
【００２０】
請求項１１の発明は、前記台は、介護用トイレのつかまり台である。
【００２１】
請求項１２の発明は、請求項１〜１１のいずれか１項に記載のトイレ用台装置と便器とを備えるトイレシステムである。
【００２２】
尚、固定部とは、トイレに固定されていて台の収納時、使用時に、台をトイレに固定しているものをいう。支え部とは、台の使用時にトイレに固定するもので固定部以外をいい、例えば、支え脚や支え台などである。
【００２３】
また、便座上方で座す状態とは、便座に直接座す他に車椅子で便座上方で座した状態をいう。
【発明の効果】
【００２４】
本発明によれば、台を収納できることから、トイレ室内の広さを必要とせず、新設のトイレはもちろん既存のトイレに後から設置することができ、さまざまなタイプの間取りに対応できる。
【００２５】
そして、台が便座着座後に前面に設置されるので、介護の際にも、要介護者の体が一方の壁に傾くことがなく、台に前倒しの姿勢で全体重をかけることができるので、介護がしやすい。また、台は収納できるので、車椅子の出入りにも困難を生じることもない。
【００２６】
請求項１の構成によれば、狭いトイレ空間に使用することができ、台は例えばテーブルとして使用でき、物置台、メモを書くための台、など多用途に使用でき、収納できることで、出入りの邪魔にならず、車椅子での出入りも容易にすることができる。
【００２７】
また、請求項２の構成によれば、便座を有する便器が椅子の役割をはたし、台をテーブルとして使うことができる。
【００２８】
また、請求項３の構成によれば、便座に座した状態で使用できる。
【００２９】
また、請求項４の構成によれば、固定部に対して台を回動することにより、台を使用位置と収納位置に移動することができる。
【００３０】
また、請求項５の構成によれば、板状体を備えることで、台を介護用のつかまり台、テーブル、物置台など、多用途に使用することができる。
【００３１】
また、請求項６の構成によれば、固定部取り付け位置を壁や天井、床面、便器、便座などにしたことで、トイレの形状に合わせて取付けでき、トイレ室内において邪魔とならず、スペースを広く使うことができる。
【００３２】
また、請求項７の構成によれば、手摺を固定部にしたことで、手摺と台が一体の構造となり、介護用としての機能を向上させることができ、手摺によっても台の積載荷重を支えることができる。
【００３３】
また、請求項８の構成によれば、固定部に対して台をスライドすることにより、台を使用位置と収納位置に移動することができる。
【００３４】
また、請求項９の構成によれば、片側に固定されるため他の側の自由度が増す。
【００３５】
また、請求項１０の構成によれば、支え部で固定されるため構造上強固となる。
【００３６】
また、請求項１１の発明によれば、台を介護用として使用する場合、台をつかまり台として使用することもでき、また要介護者が台に前倒しで体重をかけることで、中腰姿勢を取り易く、介護する側が容易に着衣の上げ下げやおしり拭きなどの介護を行うことができる。
【００３７】
また、請求項１２の構成によれば、要介護者、健常者ともトイレ使用時の機能が増す。
【発明を実施するための最良の形態】
【００３８】
以下、本発明における実施形態ついて、添付図面を参照しながら説明する。
【実施例１】
【００３９】
本発明の第１実施例について、図１〜図３を参照しながら説明する。図１においては、手摺６ａと回動部２ａを一体構造としたトイレ用台装置の使用状態を示す。
【００４０】
図１に示すとおり、トイレ内には便器１が設けられ、この便器１の左右に位置するトイレ側壁Ｗｓに、垂直方向に伸びる手摺６ａと水平方向に伸びる手摺６ｂが設置されており、２本の垂直方向に伸びる手摺６ａ，６ａの間に、台４の回動部２ａを設け、この回動部２ａは固定部たる手摺６ａに回動可能な状態で取り付けられる。そして、この例では、台４は枠体４ａと天板４ｂとを備える。前記トイレは、便器１に便座１ａを備える洋式トイレであり、その便器１の後方にはトイレの後面壁Ｗｂが設けられている。
【００４１】
便器１の便座１ａ着座時に、該便座１ａの前面に設置される台４は、前記枠体４ａに板状体たる天板４ｂが着脱自在に支持され、使用状況にあわせ、天板４ｂを取り外した状態で枠体４ａのみを台として手摺の代りに使用することも可能である。
【００４２】
前記枠体４ａは棒状のものを略Ｕ字形に形成し、両端に前記回動部２ａを設けたものであるが、枠体４aの断面形状は丸棒に限らず、四角、楕円でもよく、あるいは、ゴム構造のものを空気で膨らませ、棒状としてもよい。また、天板４ｂを支える枠体４ａの設置の仕方としては、棒状のものを枠状に形成したものに限らず、中心に一本または、複数本を並べてもよく、網目状にクロスして天板４ｂを支持してもよい。また、天板４ｂは木板、鋼板、アクリル板、透過性のある板等を使用してもよい。また、天板４ｂは網目状の板でもよく、ゴム構造のものを空気で膨らませた板でもよく、さらに、枠体そのものが板状体の構造で台を形成してもよい。
【００４３】
枠体４ａと天板４ｂを備えた台４は、使用時には、図１に示すように、使用位置である便座１ａの前方上側に位置固定され、不使用時には、回動部２ａを中心に上方に回動して、図２に示すように、収納位置である側壁Ｗｓに沿い、この位置で前記手摺６ａ，６ａ間に収納される。
【００４４】
台４は着座時においては、側壁Ｗｓに沿った収納状態にあり、便器１の前方は開放され着座の邪魔にならず、便座着座後に台４を可倒すると着座前面に台４が設置される。尚、収納時の台４は手摺として使用できるものとしてもよい。
【００４５】
便器１の前方に設置された台４はテーブルとして使用でき、物置台、メモを書くための台、など多用途に使用でき、また要介護者が使う場合は、台４に前倒しの状態で全体重をかけることで、楽に中腰体勢が取れ、着衣の上げ下げし、用便後の拭き取りができる。
【００４６】
このように発明の台４はトイレの出入りの邪魔にならない。また、台４を介護用のつかまり台として使用したり、物置台として使用したりでき、例えば、トイレで本や新聞を読む際のテーブルとして使用することができる。さらに、頬杖をつく台４として使用したり、メモを取る台４として使用したりして、思索や創造の場として、トイレの時間を有効活用することができる。
【００４７】
このように本実施例では、請求項１に対応して、トイレに設定されるトイレ用台装置において、便器１前方の使用位置と収納位置とに可動な台４と、この台４をトイレに取付ける固定部たる手摺６ａ，６ａとを備えるから、狭いトイレ空間に使用することができ、台４は例えばテーブルとして使用でき、物置台、メモを書くための台、など多用途に使用でき、収納できることで、出入りの邪魔にならず、健常者はもちろん車椅子での出入りも容易にすることができる。
【００４８】
また、このように本実施例では、請求項２に対応して、便器１は便座１ａを備え、台４は便座１ａの前方上側の使用位置に可動であるから、便座での着座時に支障とならず、着座後は、便器１が椅子の役割をはたし、台４をテーブルとして使うことができる。
【００４９】
また、このように本実施例では、請求項３に対応して、前記使用位置は、使用者が便座１ａ上方で座した状態で手の届く範囲であり、便座１ａ上方に座した状態で使用できる。
【００５０】
また、このように本実施例では、請求項４に対応して、台４を固定部たる手摺６ａ，６ａに回動自在に設けたから、手摺６ａ，６ａに対して台４を回動することにより、台４を使用位置と収納位置に移動することができる。
【００５１】
また、このように本実施例では、請求項５に対応して、板状体たる天板４ｂを備えるから、台４をテーブル、物置台、など、多用途に使用することができる。
【００５２】
また、このように本実施例では、請求項６に対応して、固定部たる手摺６ａ，６ａは、便器１周囲の壁Ｗｓに設けられているから、トイレの形状に合わせて取付けでき、トイレ室内において邪魔とならず、スペースを広く使うことができる。
【００５３】
また、このように本実施例では、請求項７に対応して、固定部が手摺６ａ，６ａであるから、手摺６ａ，６ａと台４が一体と構造となり、介護用としての機能を向上させることができ、手摺６ａ，６ａによっても台４の積載荷重を支えることができる。
【００５４】
また、このように本実施例では、請求項９に対応して、台４が前記使用位置にあって固定部に片側支持で固定されるから、片側に固定されるため他の側の自由度が増す。
【００５５】
また、このように本実施例では、請求項１１に対応して、台４は、介護用トイレのつかまり台であるから、台４を介護用として使用する場合、つかまり台として使用することもでき、また要介護者が台４に前倒しで体重をかけることで、中腰姿勢を取り易く、介護する側が容易に着衣の上げ下げやおしり拭きなどの介護を行うことができる。
【００５６】
また、このように本実施例では、請求項１２に対応して、トイレ台装置と便器１とを備えるトイレシステムであるから、要介護者、健常者ともトイレ使用時の機能が増す。
【実施例２】
【００５７】
図４及び図５は本発明の第２実施形態を示し、上記第１実施例と同一部分に同一符号を付し、その詳細な説明を省略して詳述すると、同図に示すとおり、側壁Ｗｓに設置された水平方向に伸びる手摺６ｂに、回動可能な状態で回動部２ａ，２ａが取り付けられ、回動部２ａには枠体４ａと一体化された支持部３が固定される。尚、図中Ｗｆは、トイレの前面壁である。また、この例の枠体４ａは略長方形形状をなす。尚、支持部３は前記枠体４ａと同一材質のものから形成される。
【００５８】
前記枠体４ａの基端側に前記回動部２ａを設け、該枠体４ａの先端側に回動軸21を設けられ、この回動軸21に、支え部たる支え脚11の上端側が連結され、この支え脚11が前記枠体４ａに回動可能に設けられている。尚、回動部２ａと回動部21の回転中心は相互に平行をなす。
【００５９】
図４に示すように、使用位置において、台４の天板４ｂは便器１前方で水平に位置し、この台４の使用時においては、枠体４ａに回転軸21を介して取付けられた支え脚11によって、台４の積載荷重を手摺６ｂと共に支え、側壁Ｗｓが支え脚１１の開脚を止めるストッパの働きをする。すなわち、支え脚11の下端が側壁Ｗｓに係合して位置固定される。
【００６０】
収納時には、まず、回転軸21を中心として支え脚11が枠体４ａの下面側に沿うように回動すると共に、台４と支え脚11とを回動部２ａを中心として回動し、両者を側壁Ｗｓに沿った状態で収納する。
【００６１】
このように使用位置から台４を壁Ｗｓに沿う収納位置に収納する場合、回動部２ａを中心に台４を上方に回動すると、台４が壁Ｗｓに沿うと共に、支え脚11が回動部21を中心に回動して側壁Ｗｓに沿った台４に沿って収納され、逆に収納位置から台４及び支え脚11を下方に回動し、支え脚11の下端が側壁Ｗｓに係止して台４が使用位置で水平に保持される。
【００６２】
このように本実施例では、請求項１〜７，１１及び１２に対応して、上記第１実施例と同様な作用・効果を奏し、また、請求項１０に対応して、台４が使用位置にあって片側が支え部たる支え脚11で支持されるから、支え脚11で固定されるため構造上強固となる。
【００６３】
また、この例では、台４の基端側を回動部２ａにより固定部たる手摺６ｂに回動可能に連結し、台４の先端側に支え脚11を回動可能に連結し、この支え脚11のストッパたる側壁Ｗｓを備えるから、使用状態で、台４の両側が支持されるため、台４が安定し、また、支え脚11が台４に回動可能に連結されているから、収納時には台４と支え脚11とが重なり合った折畳み状態でコンパクトに収納することができる。
【実施例３】
【００６４】
図６及び図７は本発明の第３実施形態を示し、上記各実施例と同一部分に同一符号を付し、その詳細な説明を省略して詳述すると、同図に示すとおり、側壁Ｗｓに垂直方向に伸びる手摺６ａを設定し、この手摺６ａに回動部２ａにより前記支持部３を水平方向に回動可能に取り付けられ、前記支持部３には、回動部たるラジアル継手23により枠体４ａが前記回動部２ａの回転方向とほぼ直交方向に回動可能に設けられている。尚、この例では、支持部３は棒状をなす。また、前記回動部２ａはスラスト方向の荷重も支持するものであり、また、ラジアル継手23は支持部３のスラスト方向の回転を許容する継手である。そして、この例では、台４は、枠体４ａと天板４ｂと支持部３とを備え、この支持部３が枠体４ａに一体に設けられている。
【００６５】
収納時には、まず、ラジアル継手23を介して取り付けられた台４を、支持部３の軸芯を中心に回動し、天板４ｂを鉛直方向に起きた向きまで回動し、回動部２ａにより垂直方向の手摺６ａを中心として回動し、台４が側壁Ｗｓに沿った状態に収納される。
【００６６】
このように本実施例では、請求項１〜７，９，１１及び１２に対応して、上記各実施例と同様な作用・効果を奏し、また、この例では、台４が縦方向の固定部たる手摺６ａを中心に水平回動すると共に、ラジアル継手23を中心に回動するため、台４を幅方向に回転して水平の使用位置からほぼ垂直に立てた収納向きとして側壁Ｗｓに収納することができる。
【実施例４】
【００６７】
図８及び図９は本発明の第４実施形態を示し、上記各実施例と同一部分に同一符号を付し、その詳細な説明を省略して詳述すると、同図に示すとおり、便器１の両サイドの側壁Ｗｓ，Ｗｓに、台４を支える支え部たる支え台12，12が固定され、便器１の前方に位置する前面壁Ｗｆには固定部２ｂが固定されており、この固定部２ｂに回動部２ａを設けると共に、前記枠体４ａに回動部４ｃを設け、それら回動部２ａ，４ｃとを前後方向の前記支持部３により連結し、これにより台４が前面壁Ｗｆに回動部２ａを中心に回動可能が取り付けられている。また、前記前面壁Ｗｆには、枠体４ａが着脱自在に係入するストッパ24が設けられている。
【００６８】
収納時には、まず、台４を持ち上げるようにして支え台12から外し、回動部２ａを中心に前面壁Ｗｆに向って回動し、前壁Ｗｆに当接した状態で、枠体４ａがストッパ24に段発的に係入して固定され、台４は収納位置である壁Ｗｆに沿った状態で収納される。逆に、ストッパ24から枠体４ａを外してやれば、下方に回動可能となり、枠体４ａの両側を支え台12の上に載置し、台４を使用位置に位置固定できる。
【００６９】
このように本実施例では、請求項１〜６，１１及び１２に対応して、上記各実施例と同様な作用・効果を奏し、また、このように本実施例では、請求項１０に対応して、台４が使用位置にあって両側が支え部たる支え台12，12で支持されるから、構造上強固となる。
【００７０】
また、この例では、便器１の前方左右に、支え部たる支え台12，12を設けたから、使用状態で、台４の両側が支持されるため、台４が安定し、また、収納時には台４及び支持部３が前面壁Ｗｆに沿ってコンパクトに収納することができる。
【実施例５】
【００７１】
図１０及び図１１は本発明の第５実施形態を示し、上記各実施例と同一部分に同一符号を付し、その詳細な説明を省略して詳述すると、同図に示すとおり、便器１前方の使用位置に設置される枠体４ａと天板４ｂとを備えた台４があり、便器１の両サイドの側壁Ｗｓ，Ｗｓには、台４を支える支え部たる支え台12，12が固定され、トイレの天井Ｔの左右方向一側には固定部２ｂが固定されており、この固定部２ｂに回動部２ａにより支持部３の上端が回動自在に取り付けられ、この支持部３の下端は前記枠体４ａに回動可能に連結されている。また、前面壁Ｗｆには、前記枠体４ａが係脱可能なフック型のストッパ24ａが設けられている。
【００７２】
収納時には、まず、台４を支え台12から外し、回動部２ａを中心に回動し、前面壁Ｗｆに当接した状態で、ストッパ24ａを枠体４ａが乗り越えるようにしてストッパ24ａに固定され、台４は収納位置である壁Ｗｆに沿った状態で収納される。尚、支え台12には図示していながいが、水平方向に台４が滑らないように止め金が付いている構造とするとよい。
【００７３】
このように本実施例では、請求項１〜６及び１０〜１２に対応して、上記各実施例と同様な作用・効果を奏し、また、この例では、便器１の前方左右に、支え部たる支え台12，12を設けたから、使用状態で、台４の両側が支持されるため、台４が安定し、また、収納時には台４及び支持部３が前面壁Ｗｆに沿ってコンパクトに収納することができ、さらに、固定部２ｂと台４とを１本の支持部３により連結したから、台装置を設けたトイレ内の空間を広く利用することができる。
【実施例６】
【００７４】
図１２及び図１３は本発明の第６実施形態を示し、上記各実施例と同一部分に同一符号を付し、その詳細な説明を省略して詳述すると、同図に示すとおり、便器１前方の使用位置に設置される枠体４ａと天板４ｂとを備えた台４があり、便器１の両サイドの側壁Ｗｓ，Ｗｓには、台４を支える支え部たる支え台12，12が固定され、天井Ｔの左右方向一側には固定部２ｂが設けられている。前記枠体４ａは、２本の棒状体を平行に並べてなり、この枠体４ａに天板４ｂを固定して台４を構成している。この固定部２ｂには自在継手23ａにより支持部３の上端が揺動可能に連結され、該支持部３の下端には自在継手23ｂにより台４の枠体４ａが揺動可能に連結されている。尚、前記自在継手23ａ，23ｂにはボールジョイントなどが用いられる。
【００７５】
収納時には、まず、台４を支え台12から外し、自在継手23ｂによって台４を鉛直方向に起きた向きまでに回動し、支持部３は天井Ｔの固定部２ｂに取り付けられた自在継手23ａを中心に揺動可能となり、台４を側壁Ｗｓに当接して収納することができる。尚、収納状態で台４は図示しないストッパにより位置固定される。尚、支え台12には図示していながいが、水平方向に台４が滑らないように止め金が付いている構造とするとよい。
【００７６】
このように本実施例では、請求項１〜６及び１０〜１２に対応して、上記各実施例と同様な作用・効果を奏し、また、この例では、使用状態で、台４の両側が支持されるため、台４が安定し、また、収納時には台４が前面壁Ｗｆに沿ってコンパクトに収納することができ、さらに、台４と支持部３を自在継手23ｂにより連結すると共に、支持部３と固定部２ｂとを自在継手23ａにより連結したから、台４を移動する際の自由度が増し、トイレ内に図示しない洗面台などがある場合でも、使用位置と収納位置間における台４の移動を容易に行うことができる。
【実施例７】
【００７７】
図１４及び図１５は本発明の第７実施形態を示し、上記各実施例と同一部分に同一符号を付し、その詳細な説明を省略して詳述すると、同図に示すとおり、便器１前方の使用位置に設置される枠体４ａと天板４ｂとを備えた台４があり、便器１の両サイドの側壁Ｗｓには垂直方向に伸びる手摺６ａ，６ａがそれぞれ対をなして設けられ、一方の側壁Ｗｓには水平方向に伸びる手摺６ｂが設け設けられている。
【００７８】
垂直方向の手摺６ａにはスライド部２ｃが上下方向にスライド可能な状態で取り付けられており、前記枠体４ａがスライド部２ｃに取付けられている。したがって、枠体４の四方に設けたスライド部２ｃ，２ｃ，２ｃ，２ｃが手摺６ａ，６ａ，６ａ，６ａに沿って昇降可能となる。一方の側壁Ｗｓの天井Ｔ側と手摺６ｂの下部には滑車25がそれぞれ設けられ、これら滑車25，25に、紐などの索条体25ａを架装すると共に、その索条体25ａの両端を前記台４に連結し、昇降操作手段たる索条体25ａを操作することにより、台４が手摺６ａに沿って上下方向にスライドする。尚、本実施例では、手動で台４を昇降したが、一方の滑車25を動力源により駆動することにより、自動で台４を昇降するようにしてもよい。
【００７９】
収納時には、滑車25によって、台４は上にスライドし、側壁Ｗｓ上部に設置されているストッパ24に段発的に係入することによって固定され、収納位置である天井Ｔに沿った状態で収納される。尚、水平方向の手摺６ｂのない側では、使用位置で垂直手摺６ａに止め用の部材を取付けて、台４が傾斜するのを防止する。また、ない側に水平方向の手摺を取付けて対応してもよい。
【００８０】
このように本実施例では、請求項１〜３，５〜７及び１０から１２に対応して、上記第各実施例と同様な作用・効果を奏する。
【００８１】
また、このように本実施例では、請求項８に対応して、台４が固定部たる手摺６ａに沿ってスライド可能に設けられているから、この例では、台４を昇降して使用位置と収納位置に移動することができる。
【実施例８】
【００８２】
図１６〜図１８は本発明の第８実施形態を示す、上記各実施例と同一部分に同一符号を付し、その詳細な説明を省略して詳述すると、同図に示すとおり、便器１前方の使用位置に設置された枠体４ａと天板４ｂとを備えた台４があり、便器１の一方の側壁Ｗｓには水平方向に伸びる手摺６ｂがあり、この手摺６ｂは水平部61と円弧を描きながら便座前面下方の壁Ｗｆまで延びる湾曲降下部62とを備える。尚、図では、手摺６ｂが便座１ａの前方のみとなっているが便座１ａの後方まで延ばしてもよい。
【００８３】
台４の枠体４ａの基端側は回動部２ａにより手摺６ｂに回動可能に取り付けられ、前記回動部２ａが手摺６ｂの長さ方向にスライド可能に設けられており、台４が手摺６ｂに沿ってスライドする。また、前記枠体４ａの下部から側壁Ｗｓの手摺６ｂ下に支持脚部27が突設され、この支持脚部27の先端にボール車輪26を取り付けられ、このボール車輪26が側壁Ｗｓに当接して台４の反力を取って台４を水平に保つと共に、台４のスライド時には側壁Ｗｓに転動する。
【００８４】
収納時には、まず、便器１前方に設置された台４を前方に押すと、手摺６ｂに沿って台４が前方に移動し、さらに、湾曲降下部62において、台４が前面壁Ｗｆに沿う。この場合、回動部２ａが手摺６ｂを軸としてスライドし、このとき枠体４ａから延びるボール車輪26をつけた支持脚部27が側壁Ｗｓに転動することによって、台４は傾くことなく、前面壁Ｗｆへスライドすることができ、前面壁Ｗｆ手前にて手摺６ｂの円弧に沿って、台４は垂直方向に立ち上がった状態で収納位置たる前面壁Ｗｆに沿って収納される。また、便器１前方の使用位置において、支持脚部27が台４を支持するから、安定した支持構造が得られる。
【００８５】
このように本実施例では請求項１〜９，１１及び１２に対応して、上記第１実施例と同様な作用・効果を奏し、また、請求項７に対応して、上記第７実施例と同様な作用・効果を奏し、また、この例では、台４の下部と側壁Ｗｓとの間に支持脚部27を設けたから、スライドする片持ち構造の台４を安定して支持することができ、手摺６ｂを一方の側面Ｗｓに設けるだけで済む。また、その支持脚部27に側壁Ｗｓに転動する転動手段たるボール車輪26を設けたから、手摺６ｂに沿って台４を安定してスライドすることができる。
【実施例９】
【００８６】
図１９及び図２０は本発明の第９実施形態を示す、上記各実施例と同一部分に同一符号を付し、その詳細な説明を省略して詳述すると、同図に示すとおり、便器１の前面に設置された枠体４ａと天板４ｂとを備えた台４がある。また、便器１の両サイドの床には、支え部たる門形の手摺６，６が設けられ、これら手摺６，６の水平部63，63により前記枠体４ａの両端が載置状態で支持される。また、便器１の背部両サイドに回動部２ａ，２ａを取り付け、これら回動部２ａ，２ａに支持部３，３の基端が取り付けられ、これら支持部３，３の先端に前記台４が取り付けられ、この台４が前記回動部２ａ，２ａを中心に回動する。尚、支持部３と枠体４ａとは固着構造により連結してもよいし、回動構造により回動自在に連結してもよい。尚、手摺63，63には図示していないが、水平方向に台４が滑らないように止め金が付いている構造とするとよい。
【００８７】
収納時には、まず、台４を持ち上げると、台４が回動部２ａを軸として支持部３とともに便器１後面壁Ｗｂに向かって回動し、後面壁Ｗｂに当接し、その状態で後面壁Ｗｂに設けたストッパ（図示せず）によって固定される。
【００８８】
このように本実施例では、請求項１〜６及び１０〜１２に対応して、上記各実施例と同様な作用・効果を奏し、また、この例では、台４が後面壁Ｗｂに沿って収納されるので、収納時には便器１の前方が大きく開放される。
【００８９】
尚、本発明は上記各実施例に限定されるものではなく、本発明の容易の範囲内において、種々の変形実施が可能である。例えば、図２１に示すように、台４を構成する枠体４ａの下部に、スライド式の引き出し32又は収納箱を取り付けてもよく、また、図２２に示すように、台４の枠体４ａ又は天板４ｂに手摺31を取り付けるようにしてもよい。さらに、台４にはスライド式の引き出し板を取り付けることも可能である。また、台を天井からばねなどで吊下げた構造として、便座前方上側の使用位置と天井に沿う収納位置に台が可動な台装置としてもよく、あるいは、床にスクリューロッドを回動駆動可能に立設し、このスクリューロッドに螺合するナット体を台に設け、さらに、台の昇降を案内する案内ロッドを床に立設し、スクリューロッドの回転により台が便座前方上側の使用位置と天井に沿う収納位置に昇降する台装置としてもよい。また、台の形状は適宜選定可能である。また、回動部は蝶番により軸芯を中心に回動可能としてもよく、あるいはボール結合により他方向に揺動可能としてもよい。また、台を移動する移動手段は手動でもよく、又は電動などの手段でもよい。そして、上記各実施例で用いた構造を適宜組合わせてトイレ室内の状況に合わせて設置してもよい。
【産業上の利用可能性】
【００９０】
本発明の収納できる台は、トイレ内だけでなく、狭いスペースや既存スペースに後から設置することが可能であり、介護用としても、トイレ内に限定されることなく適用できる。
【図面の簡単な説明】
【００９１】
【図１】本発明の第１実施例を示す手摺と回動部を一体構造とした台装置の使用状態を示す斜視図である。
【図２】同上、収納位置の台装置の斜視図である。
【図３】同上、使用位置の台装置の斜視図であり、板状体を取り外した状態を示す。
【図４】本発明の第２実施例を示す台装置の平面図である。
【図５】同上、正面図である。
【図６】本発明の第３実施例を示す台装置の平面図である。
【図７】同上、側面図である。
【図８】本発明の第４実施例を示す台装置の平面図である。
【図９】同上、側面図である。
【図１０】本発明の第５実施形態を示す台装置の正面図である。
【図１１】同上、側面図である。
【図１２】本発明の第６実施形態を示す台装置の正面図である。
【図１３】同上、側面図である。
【図１４】本発明の第７実施例を示す台装置の平面図である。
【図１５】同上、側面図である。
【図１６】同上、第８実施例を示す台装置の平面図である。
【図１７】同上、台装置の側面図である。
【図１８】同上、要部の正面図である。
【図１９】本発明の第９実施形態を示す台装置の正面図である。
【図２０】同上、側面図である。
【図２１】台の変形例を示す台の正面図である。
【図２２】台の他の変形例を示す台の平面図である。
【符号の説明】
【００９２】
１  便器
２ａ  回動部
２ｂ  固定部
３  支持部
４  台
４ａ  枠体
４ｂ  天板（板状体）
６  手摺
６ａ  手摺（固定部）
６ｂ  手摺（固定部）
11  支え脚（支え部）
12  支え台（支え部）
Ｗｆ  前面壁
Ｗｓ  側壁
Ｗｂ  後面壁
【図１】
2005052323.tif 000003
【図２】
2005052323.tif 000004
【図３】
2005052323.tif 000005
【図４】
2005052323.tif 000006
【図５】
2005052323.tif 000007
【図６】
2005052323.tif 000008
【図７】
2005052323.tif 000009
【図８】
2005052323.tif 000010
【図９】
2005052323.tif 000011
【図１０】
2005052323.tif 000012
【図１１】
2005052323.tif 000013
【図１２】
2005052323.tif 000014
【図１３】
2005052323.tif 000015
【図１４】
2005052323.tif 000016
【図１５】
2005052323.tif 000017
【図１６】
2005052323.tif 000018
【図１７】
2005052323.tif 000019
【図１８】
2005052323.tif 000020
【図１９】
2005052323.tif 000021
【図２０】
2005052323.tif 000022
【図２１】
2005052323.tif 000023
【図２２】
2005052323.tif 000024